【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
被スケジュールエンティティがワイヤレス通信ネットワークにおいてスケジューリングエンティティと通信するための方法であって、前記方法が、
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得することと、
ここにおいて、前記スクランブリング識別子または前記複数の制御リソースセット（ＣＯＲＥＳＥＴ）のうちの前記１つのうちの少なくとも１つが、ダウンリンク制御情報（ＤＣＩ）中の肯定応答リソースインジケータ（ＡＲＩ）において示される、
前記取得されたリソース割振りに基づいて前記ＡＣＫ／ＮＡＣＫペイロードを送信することと
を備える、方法。
【請求項２】
前記暗黙的リソースマッピングが、ダウンリンク制御チャネルの開始制御チャネル要素（ＣＣＥ）にさらに基づき、前記複数の制御リソースセット（ＣＯＲＥＳＥＴ）のうちの前記１つが、前記開始ＣＣＥから適用されるべき一意のオフセットに関連付けられる、請求項１に記載の方法。
【請求項３】
前記ＡＣＫ／ＮＡＣＫペイロードの送信のために前記複数の制御リソースセット（ＣＯＲＥＳＥＴ）のうちの前記１つに関連付けられた複数のリソースプールのうちの１つを選択すること
をさらに備える、請求項１に記載の方法。
【請求項４】
ＡＣＫ／ＮＡＣＫペイロードのサイズに基づいて複数のリソースプールのうちの１つを選択すること
をさらに備える、請求項１に記載の方法。
【請求項５】
プロセッサによって実行されたとき、請求項１〜４のうちのいずれか一項に記載の方法を実施するための命令を備えるコンピュータプログラム。
【請求項６】
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得するための手段と、
ここにおいて、前記スクランブリング識別子または前記複数の制御リソースセット（ＣＯＲＥＳＥＴ）のうちの前記１つのうちの少なくとも１つが、ダウンリンク制御情報（ＤＣＩ）中の肯定応答リソースインジケータ（ＡＲＩ）において示される、
前記取得されたリソース割振りに基づいて前記ＡＣＫ／ＮＡＣＫペイロードを送信するための手段と
を備える、ワイヤレス通信のための装置。
【請求項７】
前記暗黙的リソースマッピングが、ダウンリンク制御チャネルの開始制御チャネル要素（ＣＣＥ）にさらに基づき、前記複数の制御リソースセット（ＣＯＲＥＳＥＴ）のうちの前記１つが、前記開始ＣＣＥから適用されるべき一意のオフセットに関連付けられる、請求項６に記載の装置。
【請求項８】
前記ＡＣＫ／ＮＡＣＫペイロードの送信のために前記複数の制御リソースセット（ＣＯＲＥＳＥＴ）のうちの前記１つに関連付けられた複数のリソースプールのうちの１つを選択するための手段
をさらに備える、請求項６に記載の装置。
【請求項９】
ＡＣＫ／ＮＡＣＫペイロードのサイズに基づいて複数のリソースプールのうちの１つを選択するための手段
をさらに備える、請求項６に記載の装置。
【手続補正２】
【補正対象書類名】明細書
【補正対象項目名】０１８６
【補正方法】変更
【補正の内容】
【０１８６】
[0197]開示される方法におけるステップの特定の順序または階層は、例示的なプロセスの一例であることを理解されたい。設計上の選好に基づいて、方法におけるステップの特定の順序または階層は並べ替えられてよいことを理解されたい。添付の方法クレームは、様々なステップの要素を例示的な順序で提示し、添付の方法クレーム内で特段に具陳されていない限り、提示された特定の順序または階層に限定されるものではない。
以下に本願の出願当初の特許請求の範囲に記載された発明を付記する。
［Ｃ１］
被スケジュールエンティティがワイヤレス通信ネットワークにおいてスケジューリングエンティティと通信するための方法であって、前記方法が、
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得することと、
前記取得されたリソース割振りに基づいて前記ＡＣＫ／ＮＡＣＫペイロードを送信することと
を備える、方法。
［Ｃ２］
前記暗黙的リソースマッピングが、ダウンリンク制御チャネルの開始制御チャネル要素（ＣＣＥ）にさらに基づき、前記複数の制御リソースセット（ＣＯＲＥＳＥＴ）のうちの前記１つが、前記開始ＣＣＥから適用されるべき一意のオフセットに関連付けられる、Ｃ１に記載の方法。
［Ｃ３］
前記ＡＣＫ／ＮＡＣＫペイロードの送信のために前記複数の制御リソースセット（ＣＯＲＥＳＥＴ）のうちの前記１つに関連付けられた複数のリソースプールのうちの１つを選択すること
をさらに備える、Ｃ１に記載の方法。
［Ｃ４］
ＡＣＫ／ＮＡＣＫペイロードのサイズに基づいて複数のリソースプールのうちの１つを選択すること
をさらに備える、Ｃ１に記載の方法。
［Ｃ５］
前記スクランブリング識別子または前記複数の制御リソースセット（ＣＯＲＥＳＥＴ）のうちの前記１つのうちの少なくとも１つが、ダウンリンク制御情報（ＤＣＩ）中の肯定応答リソースインジクター（ＡＲＩ）において示される、Ｃ１に記載の方法。
［Ｃ６］
少なくとも１つのプロセッサと、
前記少なくとも１つのプロセッサに通信可能に結合されたトランシーバと、
前記少なくとも１つのプロセッサに通信可能に結合されたメモリと
を備える、ワイヤレス通信のための装置であって、
前記少なくとも１つのプロセッサが、
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得することと、
前記取得されたリソース割振りに基づいて前記ＡＣＫ／ＮＡＣＫペイロードを送信することと
を行うように構成された、装置。
［Ｃ７］
前記暗黙的リソースマッピングが、ダウンリンク制御チャネルの開始制御チャネル要素（ＣＣＥ）にさらに基づき、前記複数の制御リソースセット（ＣＯＲＥＳＥＴ）のうちの前記１つが、前記開始ＣＣＥから適用されるべき一意のオフセットに関連付けられる、Ｃ６に記載の装置。
［Ｃ８］
前記少なくとも１つのプロセッサが、
前記ＡＣＫ／ＮＡＣＫペイロードの送信のために前記複数の制御リソースセット（ＣＯＲＥＳＥＴ）のうちの前記１つに関連付けられた複数のリソースプールのうちの１つを選択する
ようにさらに構成された、Ｃ６に記載の装置。
［Ｃ９］
前記少なくとも１つのプロセッサが、
ＡＣＫ／ＮＡＣＫペイロードのサイズに基づいて複数のリソースプールのうちの１つを選択する
ようにさらに構成された、Ｃ６に記載の装置。
［Ｃ１０］
前記スクランブリング識別子または前記複数の制御リソースセット（ＣＯＲＥＳＥＴ）のうちの前記１つのうちの少なくとも１つが、ダウンリンク制御情報（ＤＣＩ）中の肯定応答リソースインジクター（ＡＲＩ）において示される、Ｃ６に記載の装置。
［Ｃ１１］
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得することと、
前記取得されたリソース割振りに基づいて前記ＡＣＫ／ＮＡＣＫペイロードを送信することと
をコンピュータに行わせるためのコードを備える、コンピュータ実行可能コードを記憶する非一時的コンピュータ可読媒体。
［Ｃ１２］
スクランブリング識別子または複数の制御リソースセット（ＣＯＲＥＳＥＴ）のうちの１つのうちの少なくとも１つに基づく暗黙的リソースマッピングを使用して肯定応答（ＡＣＫ）／否定応答（ＮＡＣＫ）ペイロードの送信のためのリソース割振りを取得するための手段と、
前記取得されたリソース割振りに基づいて前記ＡＣＫ／ＮＡＣＫペイロードを送信するための手段と
を備える、ワイヤレス通信のための装置。
［Ｃ１３］
前記ＡＣＫ／ＮＡＣＫペイロードの送信のために前記複数の制御リソースセット（ＣＯＲＥＳＥＴ）のうちの前記１つに関連付けられた複数のリソースプールのうちの１つを選択するための手段
をさらに備える、Ｃ１２に記載の装置。
［Ｃ１４］
ＡＣＫ／ＮＡＣＫペイロードのサイズに基づいて複数のリソースプールのうちの１つを選択するための手段
をさらに備える、Ｃ１２に記載の装置。
［Ｃ１５］
被スケジュールエンティティがワイヤレス通信ネットワークにおいてスケジューリングエンティティと通信するための方法であって、前記方法は、
肯定応答（ＡＣＫ）／否定応答（ＮＡＣＫ）ペイロードの送信のためのリソース割振りを取得することと、ここにおいて、前記リソース割振りが、前記ＡＣＫ／ＮＡＣＫペイロードのシーケンスベースの送信のための複数のシーケンスのうちの１つにマッピングすることによって取得され、ここにおいて、前記マッピングが、１つまたは複数のパラメータに基づいて時間とともに変動する、
前記取得されたリソース割振りに基づいて前記ＡＣＫ／ＮＡＣＫペイロードを送信することと
を備える、方法。
［Ｃ１６］
前記１つまたは複数のパラメータが、初期スロット、現在のスロット、直交周波数分割多重化（ＯＦＤＭ）シンボルインデックス、前記被スケジュールエンティティの識別子、再送信試行インデックス、または冗長バージョン（ＲＶ）識別子のうちの少なくとも１つを含む、Ｃ１５に記載の方法。
［Ｃ１７］
前記複数のシーケンスの各々が、暗黙的または明示的構成に基づいて個々に構成される、Ｃ１５に記載の方法。
［Ｃ１８］
前記複数のシーケンスが、共通ベースシーケンスの等間隔に離間されたサイクリックシフトである、Ｃ１６に記載の方法。
［Ｃ１９］
前記複数のシーケンスのうちの１つまたは複数が、異なる電力オフセットを用いて構成される、Ｃ１５に記載の方法。
［Ｃ２０］
前記マッピングが、１つまたは複数の関数入力を使用して実装された暗黙的マッピング関数に基づき、ここにおいて、前記１つまたは複数の関数入力が、アップリンク制御情報（ＵＣＩ）をトリガするダウンリンク制御チャネルリソースのリソース割振りパラメータ、ダウンリンク制御チャネルペイロードコンテンツ、スケジュールされたダウンリンク共有チャネルのリソース割振り、または前記スケジュールされたダウンリンク共有チャネルのコンテンツのうちの少なくとも１つを含む、Ｃ１５に記載の方法。
［Ｃ２１］
前記少なくとも１つのリソース割振りパラメータが、コアリソースセット（ＣＯＲＥＳＥＴ）内の制御チャネル要素（ＣＣＥ）インデックス、ＣＯＲＥＳＥＴインデックス、帯域幅パートインデックス、またはダウンリンク制御チャネルをスクランブルするための無線ネットワーク一時識別子（ＲＮＴＩ）のうちの少なくとも１つを含む、Ｃ１５に記載の方法。
［Ｃ２２］
前記マッピングが、１つまたは複数の関数入力を使用して実装された暗黙的マッピング関数に基づき、ここにおいて、前記１つまたは複数の関数入力が、ダウンリンク共有チャネルコンテンツまたはダウンリンク制御チャネルペイロードコンテンツのうちの少なくとも１つを含む、Ｃ１５に記載の方法。
［Ｃ２３］
前記ダウンリンク制御チャネルペイロードコンテンツが、スケジュールされたダウンリンク共有チャネルリソースの情報、ランク、変調およびコーディング方式（ＭＣＳ）、波形、またはダウンリンク制御チャネルオーダーもしくは命令の詳細のうちの少なくとも１つを含む、Ｃ２２に記載の方法。
［Ｃ２４］
少なくとも第１のスロット中で前記スケジューリングエンティティから送信される情報を処理すること、ここにおいて、前記ＡＣＫ／ＮＡＣＫペイロードが、少なくとも前記第１のスロット中の前記情報に関連付けられる、
をさらに備える、Ｃ１５に記載の方法。
［Ｃ２５］
前記ＡＣＫ／ＮＡＣＫペイロードが、前記スケジューリングエンティティからの無線リソース構成に基づいて周波数ホッピングを使用して送信される、Ｃ１５に記載の方法。
［Ｃ２６］
第２の周波数ホッピングのためのリソースブロック割振りが、少なくとも第１の周波数ホッピングのリソースブロック割振りの関数である、Ｃ２５に記載の方法。
［Ｃ２７］
第２の周波数ホッピングのためのリソースブロック割振りが、第１の周波数ホッピングのリソースブロック割振りと、スロットインデックスとの関数である、Ｃ２５に記載の方法。
［Ｃ２８］
少なくとも１つのプロセッサと、
前記少なくとも１つのプロセッサに通信可能に結合されたトランシーバと、
前記少なくとも１つのプロセッサに通信可能に結合されたメモリと
を備える、ワイヤレス通信のための装置であって、
前記少なくとも１つのプロセッサは、
肯定応答（ＡＣＫ）／否定応答（ＮＡＣＫ）ペイロードの送信のためのリソース割振りを取得することと、ここにおいて、前記リソース割振りが、前記ＡＣＫ／ＮＡＣＫペイロードのシーケンスベースの送信のための複数のシーケンスのうちの１つにマッピングすることによって取得され、ここにおいて、前記マッピングが、１つまたは複数のパラメータに基づいて時間とともに変動する、
前記取得されたリソース割振りに基づいて前記ＡＣＫ／ＮＡＣＫペイロードを送信することと
を行うように構成された、装置。
［Ｃ２９］
前記１つまたは複数のパラメータが、初期スロット、現在のスロット、直交周波数分割多重化（ＯＦＤＭ）シンボルインデックス、前記被スケジュールエンティティの識別子、再送信試行インデックス、または冗長バージョン（ＲＶ）識別子のうちの少なくとも１つを含む、Ｃ２８に記載の装置。
［Ｃ３０］
前記複数のシーケンスが、共通ベースシーケンスの等間隔に離間されたサイクリックシフトである、Ｃ２９に記載の装置。
［Ｃ３１］
前記複数のシーケンスのうちの１つまたは複数が、異なる電力オフセットを用いて構成された、Ｃ２８に記載の装置。
［Ｃ３２］
前記マッピングが、１つまたは複数の関数入力を使用して実装された暗黙的マッピング関数に基づき、ここにおいて、前記１つまたは複数の関数入力が、アップリンク制御情報（ＵＣＩ）をトリガするダウンリンク制御チャネルリソースのリソース割振りパラメータ、ダウンリンク制御チャネルペイロードコンテンツ、またはスケジュールされたダウンリンク共有チャネルのコンテンツのうちの少なくとも１つを含む、Ｃ２８に記載の装置。
［Ｃ３３］
前記少なくとも１つのリソース割振りパラメータが、コアリソースセット（ＣＯＲＥＳＥＴ）内の制御チャネル要素（ＣＣＥ）インデックス、ＣＯＲＥＳＥＴインデックス、帯域幅パートインデックス、またはダウンリンク制御チャネルをスクランブルするための無線ネットワーク一時識別子（ＲＮＴＩ）のうちの少なくとも１つを含む、Ｃ２８に記載の装置。
［Ｃ３４］
前記マッピングが、１つまたは複数の関数入力を使用して実装された暗黙的マッピング関数に基づき、ここにおいて、前記１つまたは複数の関数入力が、ダウンリンク共有チャネルコンテンツまたはダウンリンク制御チャネルペイロードコンテンツのうちの少なくとも１つを含む、Ｃ２８に記載の装置。
［Ｃ３５］
前記ダウンリンク制御チャネルペイロードコンテンツが、スケジュールされたダウンリンク共有チャネルリソースの情報、ランク、変調およびコーディング方式（ＭＣＳ）、波形、またはダウンリンク制御チャネルオーダーもしくは命令の詳細のうちの少なくとも１つを含む、Ｃ３４に記載の装置。
［Ｃ３６］
前記少なくとも１つのプロセッサは、
少なくとも第１のスロット中で前記スケジューリングエンティティから送信される情報を処理すること、ここにおいて、前記ＡＣＫ／ＮＡＣＫペイロードが、少なくとも前記第１のスロット中の前記情報に関連付けられる、
を行うようにさらに構成された、Ｃ２８に記載の装置。
［Ｃ３７］
前記ＡＣＫ／ＮＡＣＫペイロードが、前記スケジューリングエンティティからの無線リソース構成に基づいて周波数ホッピングを使用して送信される、Ｃ２８に記載の装置。
［Ｃ３８］
第２の周波数ホッピングのためのリソースブロック割振りが、少なくとも第１の周波数ホッピングのリソースブロック割振りの関数である、Ｃ３７に記載の装置。
［Ｃ３９］
第２の周波数ホッピングのためのリソースブロック割振りが、第１の周波数ホッピングのリソースブロック割振りと、スロットインデックスとの関数である、Ｃ３７に記載の装置。
［Ｃ４０］
肯定応答（ＡＣＫ）／否定応答（ＮＡＣＫ）ペイロードの送信のためのリソース割振りを取得することと、ここにおいて、前記リソース割振りが、前記ＡＣＫ／ＮＡＣＫペイロードのシーケンスベースの送信のための複数のシーケンスのうちの１つにマッピングすることによって取得され、ここにおいて、前記マッピングが、１つまたは複数のパラメータに基づいて時間とともに変動する、
前記取得されたリソース割振りに基づいて前記ＡＣＫ／ＮＡＣＫペイロードを送信することと
をコンピュータに行わせるためのコードを備える、コンピュータ実行可能コードを記憶する非一時的コンピュータ可読媒体。
［Ｃ４１］
肯定応答（ＡＣＫ）／否定応答（ＮＡＣＫ）ペイロードの送信のためのリソース割振りを取得するための手段と、ここにおいて、前記リソース割振りが、前記ＡＣＫ／ＮＡＣＫペイロードのシーケンスベースの送信のための複数のシーケンスのうちの１つにマッピングすることによって取得され、ここにおいて、前記マッピングが、１つまたは複数のパラメータに基づいて時間とともに変動する、
前記取得されたリソース割振りに基づいて前記ＡＣＫ／ＮＡＣＫペイロードを送信するための手段と
を備える、ワイヤレス通信のための装置。
［Ｃ４２］
少なくとも第１のスロット中で前記スケジューリングエンティティから送信される情報を処理するための手段、ここにおいて、前記ＡＣＫ／ＮＡＣＫペイロードが、少なくとも前記第１のスロット中の前記情報に関連付けられる、
をさらに備える、Ｃ４１に記載の装置。